(57)【要約】  【課題】  ロウソクが長い場合にはロウソクの炎を風から護る一方で、ロウソクが短くなった場合にはロウソクの燃焼を不安定にしてロウソクの炎が消え易い状態を作り出すことができるロウソク風除け具およびロウソク立て具を提供すること。  【解決手段】  ロウソクの上端には載置部４が載置され、このロウソクの芯材は芯孔７内から突出される。すると、防風筒２によりロウソクの炎が包囲されて風から護られる。ロウソクが長ければ、防風筒２の下端開放部から空気が防風筒２内へ流れ込み、通気孔１０及び通気孔９を通過してロウソクの炎へ供給され、ロウソクの炎の安定した燃焼が維持される。一方、ロウソクが短くなれば、防風筒２の下端開放部が設置面１２により閉塞され、ロウソクの芯材への酸素供給が不十分となり、ロウソクの炎の燃焼状態が不安定となってロウソクの炎が消え易くなる。【選択図】        図２
2006183396.tif 000002
【特許請求の範囲】
【請求項１】
ロウソクの外径より大きな内径を有する透明筒状体であってその軸方向に貫通する内周部が設けられる風除け部材と、
その風除け部材の内周部の軸方向中間部分に配設され、その風除け部材の内周部軸方向一端側から挿入されるロウソクの上端に載置可能に形成され、その風除け部材の内周部軸方向に空気を流通させる通気孔が貫通形成される載置部材と、
その載置部材の略中央に貫通形成されその載置部材がロウソク上端に載置される場合にロウソク芯を前記載置部材の上方へ突出させるロウソク芯孔とを備えていることを特徴とするロウソク風除け具。
【請求項２】
前記載置部材は、その外径が弾性的に拡縮可能に形成され、その弾性的な縮径に伴う弾性復元力によって前記風除け部材の内周部に嵌着されるものであることを特徴とする請求項１記載のロウソク風除け具。
【請求項３】
前記風除け部材の内周部軸方向に前記載置部材と間隔を空けて配設され、ロウソクが嵌挿される内周部を有して、前記風除け部材の内周部軸方向に空気を流通させる通気孔が貫通形成されるガイド部材を備えていることを特徴とする請求項１又は２に記載のロウソク風除け具。
【請求項４】
請求項１から３のいずれかに記載のロウソク風除け具と、
そのロウソク風除け具が装着されるロウソクの軸芯中空部に挿入されロウソクを直立させるロウソク支持体と、
そのロウソク支持体が立設され前記風除け部材の内径より外径が小さく形成される受け部材と、
その受け部材を昇降可能に支持する昇降部材と、
その昇降部材が立設されると共に前記風除け部材の下端開放部と当接して閉塞させる座面が形成される台座部材とを備えていることを特徴とするロウソク立て具。
【発明の詳細な説明】
【技術分野】
【０００１】
本発明は、ロウソクの炎が風に吹かれて消えてしまうことを防止するためのロウソク風除け具およびロウソク立て具に関するものである。
【背景技術】
【０００２】
従来、仏壇、墓前には灯明用のロウソク立てが設置されている。このようなロウソク立てによれば、椀状の受け皿の中央から突出した支持針を備えており、この支持針にロウソク下端部の軸芯中空部が突き刺されることで、受け皿上にロウソクが直立姿勢で立てられる。ところが、このようなロウソク立てに直立されたロウソクの芯材に炎を灯すと、当該炎が風に吹かれて消えてしまうことが頻繁にある。
【０００３】
そこで、実開平７−４４１０５号公報には、墓前に立てたロウソクが風等の影響により消えることがない墓前ロウソク立てが提案されている。この墓前ロウソク立ては、透明な耐火ガラスで成形された防風筒と、その防風筒を着脱可能な台座と、その台座の中心部に設けられる釘などのロウソク支持体と、防風筒の上部に設けられる排気孔と、台座の底面に設けられる吸気孔とを備えている。
【０００４】
この墓前ロウソク立てによれば、ロウソク支持体により支持されるロウソクは防風筒により風から護られ、吸気孔を通じて防風筒外から空気が流入されて、その空気中の酸素によりロウソクの燃焼が維持されて、その燃焼ガスが排気孔から防風筒外へ排気される。
【特許文献１】実開平７−４４１０５号公報
【発明の開示】
【発明が解決しようとする課題】
【０００５】
しかしながら、上記した墓前ロウソク立てでは、そもそも仏壇や墓前に備え付けられる既存のロウソク立てを利用することができず、当該墓前ロウソク立てを別途用意する必要が生じてしまうという問題点がある。また、上記した墓前ロウソク立てでは、台座の吸気孔からロウソクが燃え尽きるまで外気が供給され続けるので、ロウソクとしての外形を止めなくなるまでロウが溶けきってしまい、ロウソク立てにロウがこびり付いて剥がれにくくなってしまうという問題点がある。
【０００６】
そこで、本発明は、上述した問題点を解決するため、ロウソクが長い場合にはロウソクの炎を風から護る一方で、ロウソクが短くなった場合にはロウソクの燃焼を不安定にしてロウソクの炎が消え易い状態を作り出すことができるロウソク風除け具およびロウソク立て具を提供することを目的としている。
【課題を解決するための手段】
【０００７】
この目的を達成するために請求項１記載のロウソク風除け具は、ロウソクの外径より大きな内径を有する透明筒状体であってその軸方向に貫通する内周部が設けられる風除け部材と、その風除け部材の内周部の軸方向中間部分に配設され、その風除け部材の内周部軸方向一端側から挿入されるロウソクの上端に載置可能に形成され、その風除け部材の内周部軸方向に空気を流通させる通気孔が貫通形成される載置部材と、その載置部材の略中央に貫通形成されその載置部材がロウソク上端に載置される場合にロウソク芯を前記載置部材の上方へ突出させるロウソク芯孔とを備えている。
【０００８】
この請求項１記載のロウソク風除け具によれば、載置部材はロウソクの上端に載置され、ロウソクは所定の設置面上に支持針やロウソク立てなどを用いて直立姿勢で立てられる。このとき、ロウソクの芯材はロウソク芯孔から載置部材の上方に突出される。そして、ロウソク芯孔から突出される芯材は、その周囲が風除け部材によって包囲される。この状態で、ロウソクの芯材に炎が灯ると、風除け部材の下端開放部から載置部材の通気孔を通じて風除け部材の上端開放部へ向かう気流が発生して、ロウソクの芯材の燃焼に必要な酸素（空気）が供給される。
【０００９】
そして、この風除け部材の下端開放部から流入する気流は、ロウソクが短くなって風除け部材の下端開放部がロウソク設置面に当接して閉塞されるまで継続される。その後、風除け部材の下端開放部が閉塞されると、ロウソクの芯材への酸素供給が不十分となり、ロウソクの炎の燃焼状態が不安定となり、風除け部材の上端開放部から流入する僅かな風でもロウソクの炎は吹き飛ばされて消火されるようになる。よって、風除け部材で包囲された内部で燃焼する炎であっても容易に消火される状態が作り出され、ロウソクが燃え尽きる以前に炎が消火されることが促される。
【００１０】
請求項２記載のロウソク風除け具は、請求項１記載のロウソク風除け具において、前記載置部材は、その外径が弾性的に拡縮可能に形成され、その弾性的な縮径に伴う弾性復元力によって前記風除け部材の内周部に嵌着されるものである。
【００１１】
請求項３記載のロウソク風除け具は、請求項１又は２に記載のロウソク風除け具において、前記風除け部材の内周部軸方向に前記載置部材と間隔を空けて配設され、ロウソクが嵌挿される内周部を有して、前記風除け部材の内周部軸方向に空気を流通させる通気孔が貫通形成されるガイド部材を備えている。
【００１２】
請求項４記載のロウソク立て具は、請求項１から３のいずれかに記載のロウソク風除け具と、そのロウソク風除け具が装着されるロウソクの軸芯中空部に挿入されロウソクを直立させるロウソク支持体と、そのロウソク支持体が立設され前記風除け部材の内径より外径が小さく形成される受け部材と、その受け部材を昇降可能に支持する昇降部材と、その昇降部材が立設されると共に前記風除け部材の下端開放部と当接して閉塞させる座面が形成される台座部材とを備えている。
【００１３】
この請求項４記載のロウソク立て具によれば、請求項１から３のいずれかに記載のロウソク風除け具と同様に作用する上、更に、ロウソク風除け具が装着されたロウソクは、その軸芯中空部にロウソク支持体が挿入され、受け部材の上に直立状態で立てられる。そして、昇降部材により受け部材を昇降させて、台座部材の座面から受け部材までの高さを調節すれば、風除け部材の下端開放部から台座部材の座面までの距離が変更される。
【００１４】
そして、ロウソクに炎が灯されると、当該ロウソクが短くなるに従って、風除け部材の下端開放部から台座部材の座面までの距離は徐々に短くなり、最終的には、風除け部材の下端開放部が台座部材の座面に当接して閉塞されるまで、風除け部材の下端開放部からの空気の流入は継続される。その後、風除け部材の下端開放部が台座部材の座面により閉塞されると、ロウソクの芯材への酸素供給が不十分となり、ロウソクの炎の燃焼状態が不安定となり、風除け部材の上端開放部から流入する僅かな風でもロウソクの炎は吹き飛ばされて消火されるようになる。
【発明の効果】
【００１５】
請求項１記載のロウソク風除け具によれば、ロウソクが長い場合、ロウソクの炎は風除け部材によって包囲されるので、屋外でロウソクに炎が灯される場合でも当該炎が風で吹き消されることを防止できるという効果がある。しかも、風除け部材は透明なのでロウソクの炎が放つ光が遮断されることもなく、風除け部材の外側からロウソクの炎を視認できるという効果がある。
【００１６】
また、ロウソクが短くなった場合には、風除け部材の下端開放部が閉塞されて、ロウソクの炎へ向けた上昇気流が消失又は減勢されるので、風除け部材内で燃焼する炎が消火され易い状態が作り出されてロウソクの消火を促すことができる。よって、ロウソクとしての外形を止めた状態における消火が促されるので、ロウソクのロウが溶けきってこびり付くことを抑制できるという効果がある。
【００１７】
請求項２記載のロウソク風除け具によれば、請求項１記載のロウソク風除け具の奏する効果に加え、載置部材の外径を拡縮させれば載置部材の嵌着位置を風除け部材の内周部軸方向に任意に移動させることができ、結果、載置部材の嵌着位置から風除け部材の下端開放部までの長さを変更することができる。このことは、風除け部材の下端開放部から設置面までの距離を変更することに繋がり、この距離を変更することは、当該風除け部材の下端開放部を閉塞させてロウソクの炎が消えやすくなる状態となるまで時間を調節することに繋がる。従って、載置部材の嵌着位置を調節することで、ロウソクの燃焼時間を調節することができるという効果がある。
【００１８】
請求項３記載のロウソク風除け具によれば、請求項１又は２に記載のロウソク風除け具の奏する効果に加え、風除け部材に挿入されたロウソクの上端に載置部材が載置される場合に、当該ロウソクは載置部材から間隔を空けて配設されるガイド部材の内周部にも嵌挿されているので、当該ロウソクの上端を支点として風除け部材が弥次郎兵衛状に揺れ動くことを規制することができ、風除け部材の安定性を向上させることができるという効果がある。
【００１９】
請求項４記載のロウソク立て具によれば、請求項１から３のいずれかに記載のロウソク風除け具の奏する効果に加え、更に、昇降部材によって風除け部材の下端開放部から台座部材の座面までの距離を変更ことで、当該風除け部材の下端開放部を閉塞させてロウソクの炎が消えやすくなる状態となるまで時間を調節することができるので、結果、ロウソクの燃焼時間を調節することができるという効果がある。
【発明を実施するための最良の形態】
【００２０】
以下、本発明の好ましい実施例について、添付図面を参照して説明する。図１は、本発明の一実施例であるロウソク風除け具１の分解斜視図である。図１に示すように、ロウソク風除け具１は、防風筒２と、取付器３とを備えている。ここで、防風筒２は、ロウソクの炎の風除けとして機能する部材であり、取付器３は、防風筒２をロウソクに取り付けるための部材である。
【００２１】
防風筒２は、透明（半透明を含む）な円筒体に形成されており、当該円筒体の軸方向（図１上下方向）両端は円形状に開放されている。この防風筒２は、その内径がロウソクの外径より大きく、且つ、その（軸方向）長さがロウソクの長さより短く形成されている（図２（ａ）参照）。また、防風筒２の材質は不燃性材料であることが好ましく、例えば、透明な耐熱性又は耐火性のガラスで形成されている。
【００２２】
取付器３は、１本の弾性変形可能な弾性線材（例えば、バネ鋼などの金属線材）を略コイル状に曲成したものであり、主に、載置部４と、嵌着部５と、ガイド部６とを備えている。載置部４は、ロウソクの外径より若干大きめの内径を有するコイル状体であり、この載置部４の頂部には、当該載置部４の上方へロウソクの芯材を突出させるための芯孔７が貫通形成されている。この芯孔７の内径は、ロウソクの外径より小さく且つロウソクの芯材の外径より大きく形成されている。
【００２３】
嵌着部５は、防風筒２の内径より若干大きめの外径を有するコイル状体であって、その外径を弾性的に拡径及び縮径可能に形成されている。この嵌着部５を防風筒２の内周部に嵌着させる場合、嵌着部５の外径が防風筒２の内径以下に一旦縮径され、嵌着部５が防風筒２の内周部へ嵌挿される。すると、嵌着部５は自らの弾性的な縮径に伴う弾性復元力によって防風筒２の内周面に圧接され、この圧接作用により取付器３が防風筒２の内周部に着脱可能に嵌着される。
【００２４】
ガイド部６は、嵌着部５から防風筒２の軸方向に一定間隔空けて設けられる渦巻き状のリング状体であって、防風筒２の内径より若干大きめの外径を有している。よって、このガイド部６自体も、嵌着部５と同様に自らの弾性復元力により防風筒２の内周部に着脱可能に嵌着される。また、ガイド部６の略中央部には、ロウソクの外径よりも若干大きめの内径を有するロウソク孔８が貫通形成されている。
【００２５】
更に、載置部４の外周と嵌着部５の内周との間には防風筒２の軸方向に連通する通気孔９が貫通形成されており、ガイド部６のロウソク孔８の周囲にも防風筒２の軸方向に連通する通気孔１０が貫通形成されている。従って、取付器３が取り付けられた状態であっても、防風筒２の内周部には下端開放部から上端開放部へ向けた上昇気流を通過させることができる。
【００２６】
次に、図２を参照して、ロウソク風除け具１の使用方法について説明する。図２（ａ）は、長いロウソクに装着されるロウソク風除け具１の斜視図であり、図２（ｂ）は、短いロウソクに装着されるロウソク風除け具１の斜視図である。なお、図２では防風筒２を断面視し、図中の２点鎖線の矢印は気流を示している。
【００２７】
図２に示すように、ロウソク風除け具１は、防風筒２の内周部に取付器３の嵌着部５及びガイド部６が嵌着された状態で使用される。このとき、嵌着部５は防風筒２の軸方向中間部に嵌着される。ロウソク風除け具１を使用する場合には、ロウソクの下端に凹設される軸芯中空部に支持針１１が挿入されて、ロウソクが設置面１２上に直立させられる。
【００２８】
その後、ロウソクの芯材に炎が灯されると、ロウソクの上方にロウソク風除け具１を持ち上げて、このロウソク風除け具１をロウソクに被せる。このとき、ロウソクの上端をロウソク孔８内へ嵌挿させるとともに、ロウソクの芯材を芯孔７内から突出させて、ロウソクの上端に載置部４を載置させる。すると、取付器３がロウソクに取り付けられて、防風筒２によりロウソクの炎の包囲されて風から護られる。
【００２９】
ここで、図２（ａ）に示すように、ロウソクが長くて、防風筒２の下端開放部と設置面１２との間に隔たりがある場合には、防風筒２の下端開放部から空気が防風筒２内へ流れ込み、この空気が上昇気流となって、通気孔１０を通過して通気孔９を通過してロウソクの炎へ供給されて、ロウソクの炎の安定した燃焼が維持される。そして、ロウソクの燃焼に伴ってロウソクが短くなると、図２（ｂ）に示すように、防風筒２の下端開放部と設置面１２とが当接して、防風筒２の下端開放部が閉塞される。
【００３０】
図２（ｂ）に示すように、防風筒２の下端開放部が設置面１２により閉塞されると、防風筒２の下端開放部から防風筒２内をロウソクの炎へと向かう上昇気流がなくなり、ロウソクの芯材への酸素供給が不十分となる。この結果、ロウソクの炎の燃焼状態が不安定となるので、防風筒２内で燃焼するロウソクの炎は、防風筒２の上端開放部から流入する微風でも吹き飛ばされやすくなる。よって、防風筒２の下端開放部が設置面１２で閉塞されることでロウソクの炎を消火し易い状態が作り出され、ロウソクの消火が促される。
【００３１】
また、取付器３は防風筒２の内周面に弾性的に圧接されて位置決めされているだけなので、この取付器３の嵌着位置は防風筒２の軸方向に任意に変更することができる。この取付器３の嵌着位置を防風筒２の軸方向に上下させれば、防風筒２の下端から設置面１２までの距離Ｈを増減させることができ、ロウソクへの点火から防風筒２の下端開放部が設置面１２により閉塞されるまでの時間を調節することができる。これによって、ロウソクの不安定燃焼が開始するまでの時間、すなわち換言すれば、ロウソクに風除けを施しつつ安定燃焼させる時間を調節することができるのである。
【００３２】
次に、図３を参照して、上記実施例のロウソク風除け具１を利用したロウソク立て具２０について説明する。図３は、ロウソク風除け具１を利用したロウソク立て具２０の斜視図であって、防風筒２を断面視したものである。以下、上記したロウソク風除け具１と同一の部分には同一の符号を付して、その説明を省略し、異なる部分のみを説明する。
【００３３】
図３に示すように、ロウソク立て具２０は、ロウソクの軸芯中空部に挿入されてロウソクを直立させる支持針２１と、その支持針２１が立設される皿状の受け座２２と、その受け座２２の下面に上端が連設され外周におねじが螺刻される支持ねじ軸２３と、この支持ねじ軸２３が螺着される座面２４ａを有する台座２４とを備えている。ここで、受け座２２の外径は防風筒２の内径より小さく形成されており、防風筒２内へ遊挿可能に形成されている。
【００３４】
このロウソク立て具２０によれば、支持ねじ軸２３を座面２４ａへ螺入させれば受け座２２から座面２４ａまでの距離を短くして、防風筒２の下端から座面２４ａまでの距離Ｈを短く設定でき、その逆ならば受け座２２から座面２４ａまで距離を長くして、防風筒２の下端から座面２４ａまでの距離Ｈを長く設定できる。従って、取付器３の嵌着位置を変更せずとも、ロウソクに風除けを施しつつ安定燃焼させる時間を調節することができる。
【００３５】
以上、実施例に基づき本発明を説明したが、本発明は上記実施例に何ら限定されるものではなく、本発明の趣旨を逸脱しない範囲内で種々の改良変形が可能であることは容易に推察できるものである。
【図面の簡単な説明】
【００３６】
【図１】本発明の一実施例であるロウソク風除け具の分解斜視図である。
【図２】（ａ）は、長いロウソクに装着されるロウソク風除け具の斜視図であり、（ｂ）は、短いロウソクに装着されるロウソク風除け具の斜視図である。
【図３】ロウソク風除け具を利用したロウソク立て具の斜視図である。
【符号の説明】
【００３７】
１                  ロウソク風除け具
２                  防風筒（風除け部材）
４                  載置部（載置部材の一部）
５                  嵌着部（載置部材の一部）
６                  ガイド部（ガイド部材）
７                  芯孔（ロウソク芯孔）
８                  ロウソク孔（ガイド部材の内周部）
９                  通気孔（載置部材の通気孔）
１０                通気孔（ガイド部材の通気孔）
１２                設置面
２０                ロウソク立て具
２１                支持針（ロウソク支持体）
２２                受け座（受け部材）
２３                支持ねじ軸（昇降部材）
２４                台座（台座部材）
２４ａ              座面
【図１】
2006183396.tif 000003
【図２】
2006183396.tif 000004
【図３】
2006183396.tif 000005